(57)【特許請求の範囲】
【請求項１】
居住者を呼び出して通話する機能及び来訪者を撮像するためのカメラを備えた玄関子機と、前記玄関子機からの呼び出しに応答する機能及び前記カメラの撮像映像を表示する表示部を備えた居室親機とを有するインターホンシステムであって、
前記玄関子機が、逆光補正及び暗視補正を実施する映像補正部と、
前記逆光補正制御のオン／オフ設定状態及び前記暗視補正制御のオン／オフ設定状態を記憶する設定記憶部と、
前記設定記憶部の情報に基づいて前記映像補正部を補正動作させる補正制御部とを有する一方、
前記居室親機が、逆光補正制御のオン／オフを切り替える逆光補正ボタン、及び暗視補正制御のオン／オフを切り替える暗視補正ボタンを有し、
前記補正制御部は、前記逆光補正ボタンの操作を受けて前記設定記憶部が記憶している逆光補正のオン／オフ状態を書き換えると共に、前記暗視補正ボタンの操作を受けて前記設定記憶部が記憶している暗視補正のオン／オフ状態を書き換えることを特徴とするインターホンシステム。
【請求項２】
前記玄関子機は、前記カメラの撮像映像の明るさから昼間／夜間を判定する明るさ判定部を有し、
前記映像補正部は、前記明るさ判定部が夜間と判断したら、前記設定記憶部が記憶する暗視補正の設定状態のみを受けて映像補正制御を実施する一方、
前記明るさ判定部が昼間であると判断したら、前記設定記憶部が記憶する逆光補正の設定のみを受けて映像補正制御を実施することを特徴とする請求項１記載のインターホンシステム。
【請求項３】
居住者を呼び出して通話する機能及び来訪者を撮像するためのカメラを備えた玄関子機と、前記玄関子機からの呼び出しに応答する機能及び前記カメラの撮像映像を表示する表示部を備えた居室親機とを有するインターホンシステムであって、
前記玄関子機が、逆光補正及び暗視補正を実施する映像補正部と、
前記逆光補正制御のオン／オフ設定状態及び前記暗視補正制御のオン／オフ設定状態を記憶する設定記憶部と、
前記カメラの撮像映像の明るさから昼間／夜間を判定する明るさ判定部と、
前記設定記憶部の情報に基づいて前記映像補正部を補正動作させる補正制御部とを有する一方、
前記居室親機が、逆光補正制御のオン／オフ及び暗視補正制御のオン／オフを同時に切り替える１つの映像補正ボタンを有し、
前記補正制御部は、前記映像補正ボタンの操作を受けて、前記設定記憶部が記憶する前記逆光補正のオン／オフ設定及び前記暗視補正のオン／オフ設定の書き換えを同時に実施し、
更に前記明るさ判定部が夜間と判定し、且つ暗視補正がオン設定であれば暗視補正制御を実施する一方、前記明るさ判定部が昼間と判定し、且つ前記逆光補正がオン設定であれば逆光補正制御を実施することを特徴とするインターホンシステム。
【発明の詳細な説明】
【技術分野】
【０００１】
本発明は、来訪者が居住者を呼び出して通話を実施できるインターホンシステムに関し、特に来訪者を撮像するためのカメラを備えたインターホンシステムに関する。
【背景技術】
【０００２】
玄関子機にカメラを設けて来訪者映像を居室親機のモニタに表示させ、呼出時に或いは通話時に居住者が来訪者を映像で確認できるインターホンシステムが普及している。カメラを備えたこのようなシステムでは、逆光時や夜間でも来訪者を確認できるように逆光補正や暗視補正してモニタに表示する機能が設けられたものがある。例えば、特許文献１では居室親機の操作で逆光補正や暗視補正のオン／オフ操作ができるよう構成されている。
【先行技術文献】
【特許文献】
【０００３】
【特許文献１】特開２００９−１８２８４１号公報
【発明の概要】
【発明が解決しようとする課題】
【０００４】
上記特許文献１のインターホンシステムは、１つの補正ボタンの操作で逆光補正及び暗視補正のオン／オフを設定でき、少ない部材で映像補正を実施できた。しかしながら、オン設定しても通話が終了して待受状態に移行すると設定が解除されてしまい、次回の通話時にも同様の設定操作を行う必要があった。また、オン操作しても夜間は暗視補正機能のみが能動となり、昼間は逆光補正機能のみが能動となるため、双方の補正を同時に実施すべき状況が発生しても一方の補正しか実施できなかった。
【０００５】
そこで、本発明はこのような問題点に鑑み、映像補正の設定を保持して次回の映像表示においても前回設定された映像補正の機能を能動とし、更に逆光補正と暗視補正の双方の補正を同時に実施できるインターホン装置を提供することを目的としている。
【課題を解決するための手段】
【０００６】
上記課題を解決する為に、請求項１の発明は、居住者を呼び出して通話する機能及び来訪者を撮像するためのカメラを備えた玄関子機と、玄関子機からの呼び出しに応答する機能及びカメラの撮像映像を表示する表示部を備えた居室親機とを有するインターホンシステムであって、玄関子機が、逆光補正及び暗視補正を実施する映像補正部と、逆光補正制御のオン／オフ設定状態及び暗視補正制御のオン／オフ設定状態を記憶する設定記憶部と、設定記憶部の情報に基づいて映像補正部を補正動作させる補正制御部とを有する一方、居室親機が、逆光補正制御のオン／オフを切り替える逆光補正ボタン、及び暗視補正制御のオン／オフを切り替える暗視補正ボタンを有し、補正制御部は、逆光補正ボタンの操作を受けて設定記憶部が記憶している逆光補正のオン／オフ状態を書き換えると共に、暗視補正ボタンの操作を受けて設定記憶部が記憶している暗視補正のオン／オフ状態を書き換えることを特徴とする。
この構成によれば、逆光補正や暗視補正のオン／オフを一度設定すれば、設定を解除するまで、設定状態が維持されるため、呼び出しが発生してカメラの撮像映像が表示される度に映像補正の操作をする煩わしさが無く、利便性が良い。また、逆光補正オンと暗視補正オンを独立に設定できるため、双方をオン設定にすれば双方の映像補正を実施できる。
【０００７】
請求項２の発明は、請求項１に記載の構成において、玄関子機は、カメラの撮像映像の明るさから昼間／夜間を判定する明るさ判定部を有し、映像補正部は、明るさ判定部が夜間と判断したら、設定記憶部が記憶する暗視補正の設定状態のみを受けて映像補正制御を実施する一方、明るさ判定部が昼間であると判断したら、設定記憶部が記憶する逆光補正の設定のみを受けて映像補正制御を実施することを特徴とする。
この構成によれば、暗視補正オン状態であっても昼間であれば逆光補正のみ実施するため、過剰な補正映像が表示されて不自然な映像が表示されるようなことがない。
【０００８】
請求項３の発明は、居住者を呼び出して通話する機能及び来訪者を撮像するためのカメラを備えた玄関子機と、玄関子機からの呼び出しに応答する機能及びカメラの撮像映像を表示する表示部を備えた居室親機とを有するインターホンシステムであって、玄関子機が、逆光補正及び暗視補正を実施する映像補正部と、逆光補正制御のオン／オフ設定状態及び暗視補正制御のオン／オフ設定状態を記憶する設定記憶部と、カメラの撮像映像の明るさから昼間／夜間を判定する明るさ判定部と、設定記憶部の情報に基づいて映像補正部を補正動作させる補正制御部とを有する一方、居室親機が、逆光補正制御のオン／オフ及び暗視補正制御のオン／オフを同時に切り替える１つの映像補正ボタンを有し、補正制御部は、映像補正ボタンの操作を受けて、設定記憶部が記憶する逆光補正のオン／オフ設定及び暗視補正のオン／オフ設定の書き換えを同時に実施し、更に明るさ判定部が夜間と判定し、且つ暗視補正がオン設定であれば暗視補正制御を実施する一方、明るさ判定部が昼間と判定し、且つ逆光補正がオン設定であれば逆光補正制御を実施することを特徴とする。
この構成によれば、逆光補正や暗視補正のオン／オフを一度設定すれば、設定を解除するまで、設定状態が維持されるため、呼び出しが発生してカメラの撮像映像が表示される度に映像補正の操作をする煩わしさが無く、利便性が良い。更に、映像を見易くしたい場合に操作するボタンが１つであっても、明るさに応じて逆光補正と暗視補正の一方が選択されて切替制御されるため、簡易な操作で玄関の明るさに応じて見易い映像を表示させることができ、便利である。
【発明の効果】
【０００９】
本発明によれば、逆光補正や暗視補正のオン／オフを一度設定すれば、設定を解除するまで、設定が維持されるため、呼び出しが発生してカメラの撮像映像が表示される度に映像補正の操作をする煩わしさが無く、利便性が良い。また、逆光補正オンと暗視補正オンを独立に設定できるため、双方をオン設定にすれば双方の映像補正を玄関の明るさに応じて実施できる。
【図面の簡単な説明】
【００１０】
【図１】本発明に係るインターホンシステムの一例を示す回路ブロック図である。
【発明を実施するための形態】
【００１１】
以下、本発明を具体化した実施の形態を、図面を参照して詳細に説明する。図１は本発明に係るインターホンシステムの一例を示す回路ブロック図であり、１は居住者を呼び出して通話するための玄関子機、２は玄関子機１からの呼び出しに応答するための居室親機であり、両者は伝送線Ｌ１により接続されている。
【００１２】
玄関子機１は、来訪者を撮像するためのカメラ１１、カメラ１１の撮像映像の補正等を行って居室親機２へ伝送する映像信号を生成する映像信号生成部１２、伝送線Ｌ１を介して居室親機２へ映像信号を伝送するために変調処理等を行う子機映像処理部１３、居住者を呼び出す呼出ボタン１４、マイク１５ａ及びスピーカ１５ｂ、通話音声を制御する子機音響部１５、映像補正の設定状態を記憶する設定記憶部１６、玄関子機１を制御する子機ＣＰＵ１７、居室親機２と通信するための子機インターフェース（子機ＩＦ）１８等を備えている。
【００１３】
居室親機２は、カメラ１１の撮像映像を表示するモニタ２１、伝送された映像信号を復調する親機映像処理部２２、逆光補正ボタン２３ａや暗視補正ボタン２３ｂを有する操作部２３、応答操作する通話ボタン２４、通話するためのマイク２５ａ及びスピーカ２５ｂ、音声を制御する親機音響部２５、居室親機２を制御する親機ＣＰＵ２６、玄関子機１と通信するための親機インターフェース（親機ＩＦ）２７等を備えている。尚、逆光補正ボタン２３ａ及び暗視補正ボタン２４ａはモニタ２１に一体に構成されたタッチパネルに設けられ、映像の表示に合わせてモニタ２１に表示される。
【００１４】
上記の如く構成されたインターホンシステムの動作は以下の様である。ただし、呼出操作、それに伴うカメラ１１の撮像映像の表示、居室親機２による応答操作は従来と同様であるため説明を省略し、ここでは、映像補正動作を中心に説明する。
先ず、逆光補正及び暗視補正が共にオフ設定の状態にある、即ち設定記憶部１６が逆光補正オフ及び暗視補正オフを記憶しているとして説明する。来訪者により呼出ボタン１４が押下されると、子機ＣＰＵ１７の制御により呼出信号が居室親機２に伝送される。同時にカメラ１１が起動して撮像映像が出力される。
【００１５】
このとき、暗視補正も逆光補正もオフ設定情報が設定記憶部１６に記憶されているため、子機ＣＰＵ１７は映像信号生成部１２に対して映像補正を実施させず、カメラ１１が出力した映像信号は加工されることなく映像信号生成部１２から出力される。この映像は、子機映像処理部１３、子機ＩＦ１８を介して居室親機２へ伝送され、居室親機２のモニタ２１に表示される。
【００１６】
この表示映像を見た居住者が、操作部２３の逆光補正ボタン２３ａを操作すると、親機ＣＰＵ２６が逆光補正切替信号を生成して玄関子機１に伝送する。この逆光補正切替信号を受信した玄関子機１では、子機ＣＰＵ１７の制御により設定記憶部１６の記憶が書き換えられる。このとき、逆光補正オフの情報が記憶されていたため、切替信号を受けて逆光補正オンに書き換えられる。そして、逆光補正オンと変更されたため、映像信号生成部１２は逆光補正制御を開始する。
こうして、映像信号生成部１２は、逆光補正を実施した映像信号を出力し、居室親機１のモニタ２１には、逆光補正された映像が表示される。
【００１７】
また、居住者が暗視補正ボタン２３ｂを操作したら、親機ＣＰＵ２６の制御により暗視補正切替信号が玄関子機１に伝送される。この暗視補正切替信号を受信した玄関子機１では、子機ＣＰＵ１７の制御により設定記憶部１６の記憶が書き換えられる。このとき、暗視補正オフの情報が記憶されていたため、切替信号を受けて暗視補正オンに書き換えられる。そして、暗視補正オンと変更されたため、映像信号生成部１２は暗視補正制御を開始し、映像信号生成部１２は、暗視補正を実施した映像信号を出力し、居室親機１のモニタ２１には、暗視補正された映像が表示される。
このように子機ＣＰＵ１７は、設定記憶部１６が記憶する設定状態に従って、次回のカメラ１１の撮像映像に対して映像信号生成部１２に補正を実施させる。
【００１８】
但し、子機ＣＰＵ１７は、カメラ１１が撮像を開始した時点で、カメラ１１から撮像した映像の明るさ情報（輝度情報）を入手して昼間であるか夜間であるか判断する。そして、昼間であると判断したら暗視補正の設定状態を無視して実施せず、逆光補正の設定内容に従い映像信号生成部１２に補正制御させる。また、夜間であると判断した場合は、逆光補正の設定状態を無視して実施せず、設定記憶部１６が記憶している暗視補正の設定に従って補正を実施する。
【００１９】
このように、逆光補正や暗視補正を一度設定すれば、設定を解除するまで、設定が維持されるため、呼び出しが発生してカメラ１１の撮像映像が表示される度に映像補正の操作をする煩わしさが無く、利便性が良い。
また、昼間であると判断したら、逆光補正オンであれば逆光補正を実施するが、暗視補正オン状態であっても暗視補正を実施することがないため、過剰な補正映像が表示されて不自然な映像が表示されるようなことがない。
更に、逆光補正及び暗視補正の双方がオン設定の場合は、夜間は暗視補正を実施するし、門灯の点灯等で昼間であると判断した場合は、暗視補正の設定状態を無視して逆光補正を実施するため、訪問者を確認し易い映像となる。
【００２０】
尚、上記実施形態では、居室親機２から玄関子機１に伝送される映像補正のオン／オフ信号を同一の切替信号としたが、逆光補正ボタン及び暗視補正ボタンの双方をオンボタンとオフボタンの２つのボタンで構成し、オン信号或いはオフ信号を玄関子機１に伝送しても良い。
【００２１】
次に、本発明に係るインターホンシステムの他の形態を説明する。上記実施形態では、映像補正ボタンとして逆光補正ボタン２３ａと暗視補正ボタン２３ｂの２つの補正ボタンを設けたが、１つの映像補正ボタン（図示せず）として構成しても良い。
この場合、逆光補正と暗視補正が同時にオン／オフ操作されて設定が記憶されることになるが、上述したように子機ＣＰＵ１７が、カメラ１１が撮像を開始した時点でカメラ１１から撮像した映像の明るさ情報（輝度情報）を入手して昼間であるか夜間であるか判断することで、昼間であると判断した場合は暗視補正の設定状態を無視して実施せず、逆光補正の設定内容に従い映像信号生成部１２が補正制御するし、夜間であると判断した場合は逆光補正の設定状態を無視して実施せず、設定記憶部１６が記憶している暗視補正の設定に従って補正を実施するため見易い映像の表示が可能となる。
このように、映像補正ボタンを１つにして逆光補正操作と暗視補正操作を同時操作する構成としても、設定状態を維持することで呼び出しが発生してカメラ１１の撮像映像が表示される度に映像補正の操作をする煩わしさが無いのは基より、映像を見易くしたい場合に１つの映像補正ボタンを操作すれば、明るさに応じて逆光補正と暗視補正の一方が選択されて切替制御されるため、簡易な操作で玄関の明るさに応じて見易い映像を表示させることができ、便利である。
【符号の説明】
【００２２】
１・・玄関子機、２・・居室親機、１１・・カメラ、１２・・映像信号生成部（映像補正部）、１６・・設定記憶部、１７・・子機ＣＰＵ（補正制御部、明るさ判定部）、２１・・モニタ、２３ａ・・逆光補正ボタン、２３ｂ・・暗視補正ボタン、２６・・親機ＣＰＵ。
【図１】
0006596326.tif 000002